(57)【要約】【課題】スラットシャッターとシートシャッターとの組合せからなるものでありながら、サイドレール上部のカーテン収納ボックスを不要化することができ、意匠的外観を向上させることができると共に、シャッター全閉時にシートカーテンが外部から悪戯等されないようにシートカーテンをスラットカーテンで保護することができる複合シャッターを得ることにある。【解決手段】湾曲コーナーレール部を有するスラットガイドレールの内角側における当該スラットガイドレールの縦レール部と横レール部に沿った位置にシートガイドレールの縦レール部材と横レール部材を配置すると共に、前記スラットガイドレールの湾曲コーナーレール部の内角側にシート駆動ギヤを配置するように構成したものである。【選択図】図１
2008169588.tif 000002
【特許請求の範囲】
【請求項１】
スラットシャッターとシートシャッターとの組合せからなる複合シャッターにおいて、
構造物の開口部の側壁部に沿って配置された左右の縦レール部の頂部に湾曲コーナーレール部を介して前記開口部の頂壁部から遠ざかる方向に延びる横レール部が連続形成されたスラットガイドレールと、
このスラットガイドレールに沿って前記開口部を開閉するスラットカーテンと、
このスラットカーテンを前記縦レール部に沿った方向および前記横レール部に沿った方向に駆動するスラット駆動手段と、
前記スラットカーテンの内角側に配置され、当該スラットカーテンの縦レール部および横レール部のそれぞれに並設する左右の縦レール部および横レール部を有するシートガイドレールと、
このシートガイドレールに沿って前記開口部を開閉するシートカーテンと、
前記スラットガイドレールの湾曲コーナーレール部の内角側に配置されて前記シートカーテンの両側部が噛合し、当該シートカーテンを前記縦レール部に沿った方向および前記横レール部に沿った方向へ駆動するシート駆動ギヤと、このシート駆動ギヤから前記シートカーテンが外れないように当該シートカーテンをガイドするガイドブロックとを備えて成ることを特徴とする複合シャッター。
【請求項２】
スラット駆動手段とシート駆動ギヤおよびガイドブロックは、開口部の頂壁部に取り付けられた共通のブラケットに設けられていることを特徴とする請求項１記載の複合シャッター。
【請求項３】
スラットガイドレールとシートガイドレールは一体的にユニット化されていることを特徴とする請求項１または請求項２記載の複合シャッター。
【請求項４】
スラットカーテンとシートカーテンは、選択的に開閉可能となっていることを特徴とする請求項１から請求項３のうちのいずれか１項記載の複合シャッター。
【発明の詳細な説明】
【技術分野】
【０００１】
この発明は、スラットシャッターとシートシャッターとの組合せからなる複合シャッターに関するものである。
【背景技術】
【０００２】
従来のシャッターの一つにスラットシャッターがあり、このスラットシャッターは、構造物のシャッター開閉用開口部（以下、単に開口部という）の両側に配置されて上部にカーテン収納ボックスを有する左右一対のサイドレールと、これらのサイドレール間を昇降開閉するスラットカーテンと、前記カーテン収納ボックス内に配置されて前記スラットカーテンを巻き取り・巻き戻しする巻取り機構とを備えた構成となっている。ここで、前記スラットカーテンは、上下複数のスラット相互を屈曲可能に上下方向へ一連に接続した構成となっているため、そのカーテン表裏面は凹凸形状をなしており、そのスラットカーテンの両側部を前記左右のサイドレール内に昇降自在に嵌め込んだ構成となっている。
【０００３】
このような構成のスラットシャッターのみを前記開口部に設置した場合、スラットカーテンの表裏面が凹凸形状をなしていることなどから全閉状態のスラットカーテンとサイドレールとの間に隙間が生じ、この隙間から害虫やホコリ、ゴミ等が侵入して気密性が損なわれるという問題があった。
【０００４】
その点、最近特に多様化傾向にあるシートシャッターは、前記スラットシャッターよりも気密性や断熱性に優れ、かつ高速開閉が可能という特性を有している。そこで、前記スラットシャッターとシートシャッターとを併設することにより、気密性等の向上を図った複合シートシャッターも既に知られている。なお、前記シートシャッターにおいても、上部にカーテン収納ボックスを有する左右一対のサイドレールと、これらのサイドレール間を昇降開閉するシートカーテンと、前記カーテン収納ボックス内に配置されて前記シートカーテンを巻き取り・巻き戻しする巻取り機構とを備えた構成となっている。
【０００５】
このようにスラットシャッターとシートシャッターとを組み合わせた複合シートシャッターを設置する場合、防犯性の観点から一般に前記開口部の壁部を挟んで室外側にスラットシャッターを設置し、室内側にシートシャッターを設置しているのが通常である。
【０００６】
また、従来の他の複合シートシャッターとして、スラットカーテンの外側（室外側）でシートカーテンを昇降開閉させるようにスラットシャッターとシートシャッターとを併設することも既に知られている（例えば、特許文献１参照）。
【０００７】
【特許文献１】特表２００５−５２７７２０号公報
【発明の開示】
【発明が解決しようとする課題】
【０００８】
従来の複合シャッターは以上のように構成されているので、構造物の開口部の壁部を挟んで外側にスラットシャッターを、かつ内側にシートシャッターを設置する場合、少なくとも外側のスラットシャッターはサイドレール上部のカーテン収納ボックスが必要不可欠となり、このカーテン収納ボックスが外部に露出するため外観が損なわれると共に、カーテン収納ボックスの据え付けスペースも制約されるという課題があった。また、特許文献１の複合シャッターの場合、シートシャッターとスラットシャッターの両方を構造物の開口部の壁部内側で併設することが可能であるが、この場合もスラットカーテンの外側でシートカーテンを昇降動作させる構成となっているので、シートカーテンが外部に露出して外観が損なわれると共に、外部に露出したシートカーテンは悪戯等により損傷され易い等の課題があった。
【０００９】
この発明は上記のような課題を解決するためになされたもので、スラットシャッターとシートシャッターとの組合せからなるものでありながら、サイドレール上部のカーテン収納ボックスを不要化することができ、意匠的外観を向上させることができると共に、シャッター全閉時にシートカーテンが外部から悪戯等されないようにシートカーテンをスラットカーテンで保護することができる複合シャッターを提供することを目的とする。
【課題を解決するための手段】
【００１０】
この発明に係る複合シャッターは、構造物の開口部の側壁部に沿って配置された左右の縦レール部の頂部に湾曲コーナーレール部を介して前記開口部の頂壁部から遠ざかる方向に延びる横レール部が連続形成されたスラットガイドレールと、このスラットガイドレールに沿って前記開口部を開閉するスラットカーテンと、このスラットカーテンを前記縦レール部に沿った方向および前記横レール部に沿った方向に駆動するスラット駆動手段と、前記スラットカーテンの内角側に配置され、当該スラットカーテンの縦レール部および横レール部のそれぞれに並設する左右の縦レール部および横レール部を有するシートガイドレールと、このシートガイドレールに沿って前記開口部を開閉するシートカーテンと、前記スラットガイドレールの湾曲コーナーレール部の内角側に配置されて前記シートカーテンの両側部が噛合し、当該シートカーテンを前記縦レール部に沿った方向および前記横レール部に沿った方向へ駆動するシート駆動ギヤと、このシート駆動ギヤから前記シートカーテンが外れないように当該シートカーテンをガイドするガイドブロックとを備えて成るものである。
【発明の効果】
【００１１】
この発明によれば、スラットガイドレールの内角側における当該スラットガイドレールの縦レール部と横レール部に沿った位置にシートガイドレールの縦レール部材と横レール部材を配置すると共に、前記スラットガイドレールの湾曲コーナーレール部の内角側にシート駆動ギヤを配置するように構成したので、前記スラットガイドレールの湾曲コーナーレール部の内角側でスラットカーテンの移動方向に沿ってシートカーテンを開閉動作させることができ、このシートカーテンの巻き取り・巻き戻しを行わないので、シートカーテンの巻取り機構および当該巻取り機構を収納配置するカーテン収納ボックスのそれぞれを不要化でき、複合シャッターの構成が簡素化してコスト低減が図れるなどの効果がある。
【００１２】
しかも、前記構成の複合シャッターを構造物の開口部に設置した場合、その開口部に対する近位側でスラットカーテンが、かつ遠位側でシートカーテンがそれぞれ昇降動作するので、それらのカーテン全閉状態で前記シートカーテンが外部に露出するようなことがなく、このため、シャッター全閉状態で前記シートカーテンが外部から悪戯されたり外的要因で損傷したりすることを防ぐことができるという効果がある。
【発明を実施するための最良の形態】
【００１３】
実施の形態１．
図１はこの発明の実施の形態１による複合シャッターを示す概略断面図、図２は図１のＡ−Ａ線に沿った断面図である。
図１に示す複合シャッターは、スラットシャッター１とシートシャッター２との組合せからなっており、それらの詳細な構成を以下に順次説明する。
【００１４】
まず、スラットシャッター１は、構造物の開口部３の左右の縁部を構成する側壁部に沿って配置された左右の縦レール部４ａの頂部に湾曲コーナーレール部４ｂを介して前記開口部３の頂壁部３ａから遠ざかる方向に延びる横レール部４ｂが連続形成されたスラットガイドレール４と、このスラットガイドレール４に沿って前記開口部３を開閉するスラットカーテン５と、このスラットカーテン５を前記縦レール部４ａに沿った方向および前記横レール部４ｃに沿った方向に駆動するスラット駆動手段６とを備えた構成となっている。
【００１５】
このようなスラットシャッター１において、左右のスラットガイドレール４は対向面部にカーテンガイド溝４ｄ（図２参照）を有する断面ほぼコ字形状の剛性部材からなっており、そのカーテンガイド溝４ｄにスラットカーテン５の両側部が摺動自在に嵌め込まれている。前記スラットカーテン５は、図１に示すように複数のスラット５ａ，５ｂを屈曲可能に一連に接続した構成となっており、その最下位のスラット５ｂの両側部には突出軸部８が設けられている。この突出軸部８には、前記スラット駆動手段６で巻上げ・巻戻しされるワイヤ等の吊り条材７の下端部が連結されている。なお、前記スラット駆動手段９は前記開口部３の頂壁部３ａに取り付け固定されたブラケット９に組み付けられて前記湾曲コーナーレール部４ｂの上方に保持されている。
【００１６】
したがって、前記スラットカーテン５は、前記スラット駆動手段６による吊り条材７の巻き取り・巻き戻しによって、スラットガイドレール４の縦レール部４ａに沿った縦移動と横レール部４ｃに沿った横移動とに湾曲コーナーレール部４ｂを介して継送され、これによって前記開口部３を開閉するようになっている。
【００１７】
次に、前記シートシャッター２は、前記スラットガイドレール４の湾曲コーナーレール部４ｂの内角側で縦レール部４ａおよび横レール部４ｃに沿った位置に配置されたシートガイドレール１０と、このシートガイドレール１０に沿って前記開口部３を開閉するシートカーテン１１と、このシートカーテン１１を開閉方向に駆動するシート駆動ギヤ１２とを備えている。
【００１８】
さらに詳しく説明すると、前記シートガイドレール１０は、前記湾曲コーナーレール部４ｂの内角側でスラットガイドレール４の縦レール部４ａに沿って並設された左右の縦レール部材１０ａと、スラットガイドレール４の横レール部４ｃに沿って並設された左右の横レール部材１０ｂとからなっている。左右の縦レール部材１０ａおよび左右の横レール部材１０ｂは、それぞれの対向面部にカーテンガイド溝１０ｃ（図２参照）を有している。
【００１９】
このようなシートガイドレール１０において、前記縦レール部材１０ａは、図３に示すように、その縦方向中間部より上部側に切欠形成されたアクセス通路２０を有しており、このアクセス通路２０によって、前記縦レール部材１０ａは上側レール部２１と下側レール部２２とに区分形成されている。そして、前記上側レール部２１は弾性変形不能な剛性部材で形成され、前記下側レール部２２はこれのカーテンガイド溝１０ｃを拡げる方向に弾性変形可能な半弾性部材で形成されている。
【００２０】
このように形成された縦レール部材１０ａは、図２に示すように、スラットガイドレール４の縦レール部４ａに一体的に並設されたレール本体（レール取付部材）１４にレールホルダ１５を介して水平方向へ首振り可能に取り付けられている。なお、図２中の符号１６は前記レールホルダ１５を介して前記縦レール部材１０ａをシートカーテン１１の緊張方向に付勢する緩衝用のスプリングである。なお、シートガイドレール１０の横レール部材１０ｂは剛性部材からなってスラットガイドレール４の横レール部４ｃに一体的に並設されている。
【００２１】
一方、前記シートカーテン１１の両側部には、前記シート駆動ギヤ１２に噛合する噛合部を兼ねた、左右のシートガイドレール１０の内側面に摺接させる務歯列状をなしたカーテン抜け止め用の係合子１７（図２参照）群とが設けられている。ここで、左右のシートガイドレール１０における縦レール部材１０ａ間のシートカーテン１１が、例えば工場等で作業車の衝突や障害物等による三次元方向のあらゆる方向からの過度外力を受けて大きく撓むと、そのシートカーテン１１に追従する係合子１７群が半弾性の下側レール部２２を内側から押圧弾性変形させてカーテンガイド溝１０ｃから抜け出すようになっている。カーテンガイド溝１０ｃから抜け出した係合子１７群は、前記シート駆動ギヤ１２によるシートカーテン１１の巻き上げ過程で前記アクセス通路２０から上側レール部２１内に引き込まれてシートガイドレール１０内に自動的に復帰するようになっている。
【００２２】
前記シート駆動ギヤ１２は、スラットガイドレール４における湾曲コーナーレール部４ｂの内角側で前記ブラケット９に軸支されている。したがって、前記スラット駆動手段６とシート駆動ギヤ１２は共通のブラケット９に取り付けられている。また、ブラケット９には、前記シート駆動ギヤ１２に両側部が噛合したシートカーテン１１がシート駆動ギヤ１２から外れないようにシートカーテン１１をガイドするガイドブロック１３が取り付けられており、このガイドブロック１３は、前記湾曲コーナーレール部４ｂと、この内角側の前記シート駆動ギヤ１２との間に配置されている。
【００２３】
次に動作について説明する。
スラット駆動手段６を巻き上げ方向に起動させると、このスラット駆動手段６で吊り条材７が巻き上げられることにより、スラットガイドレール４における左右の縦レール部４ａ間のスラットカーテン５は、前記縦レール部４ａに沿って上昇した後、湾曲コーナーレール部４ｂを介して横レール部４ｃに沿った方向に移動することにより、構造物の開口部３が開放される。この開放状態において、前記スラット駆動手段６を巻き戻し方向に起動させると、このスラット駆動手段６から吊り条材７が巻き戻しされることにより、前記横レール部４ｃ間のスラットカーテン５が湾曲コーナーレール部４ｂを介して縦レール部４ａ間を下降することにより、前記開口部３が閉じられる。なお、スラットカーテン５は全開時にも少なくとも最閉鎖端側のスラットは横レール部４Ｃの位置までは移動しないように構成されているので、少なくとも最閉鎖端側のスラットの重量によって、スラット駆動手段６から吊り条材７が巻き戻しされることにより、スラットカーテン５全体は降下する。
【００２４】
一方、シート駆動ギヤ１２を図１中で時計回り方向に起動させると、このシート駆動ギヤ１２の両側部が噛合したシートカーテン１１が、シートガイドレール１０における左右の縦レール部材１０ａ間を上昇しシート駆動ギヤ１２とガイドブロック１３との間を経由して横レール部材１０ｂに沿った方向へ移動することにより、前記開口部３が開放される。この開放状態において、前記シート駆動ギヤ１２を反時計回り方向に起動させると、前記横レール部材１０ｂ間のシートカーテン１１がシート駆動ギヤ１２とガイドブロック１３との間を経由して縦レール部材１０ａ間を下降することにより前記開口部３が閉じられる。なお、シートカーテン１１は、全閉から全開までの全域にかけて必ず駆動ギヤ１２に噛合するように、開閉方向の寸法および全開、全閉の停止位置が決められている。
【００２５】
このようにして、スラットカーテン５とシートカーテン１１を、それぞれの系統のスラット駆動手段６とシート駆動ギヤ１２とによって選択的に開閉駆動することができると共に、前記スラット駆動手段６とシート駆動ギヤ１２とを同期起動させることによって、前記スラットカーテン５とシートカーテン１１とを同時に開閉動作させることも可能である。また、スラットカーテン５とシートカーテン１１を、選択的にしか開閉駆動できないようにすることや、同時にしか開閉駆動できないようにすることも可能である。
【００２６】
以上説明した実施の形態１によれば、スラットガイドレール４の内角側における当該スラットガイドレール４の縦レール部４ａと横レール部４ｃに沿った位置にシートガイドレール１０の縦レール部材１０ａと横レール部材１０ｂとを配置すると共に、前記スラットガイドレール４の湾曲コーナーレール部４ｂの内角側にシート駆動ギヤ１２を配置するように構成したので、前記スラットガイドレール４の湾曲コーナーレール部４ｂの内角側でスラットカーテン５の移動方向に沿ってシートカーテン１１を開閉動作させることができ、このシートカーテン１１の巻き取り・巻き戻しを行わないので、シートカーテン１１の巻取り機構および当該巻取り機構を収納配置するカーテン収納ボックスのそれぞれを不要化でき、複合シャッターの構成が簡素化してコスト低減が図れるなどの効果がある。
【００２７】
しかも、前記構成の複合シャッターを構造物の開口部３に設置した場合、その開口部３に対する近位側でスラットカーテン５が、かつ遠位側でシートカーテン１１がそれぞれ昇降動作するので、それらのカーテン全閉状態で前記シートカーテン１１が外部に露出するようなことがなく、このため、シャッター全閉状態で前記シートカーテン１１が外部から悪戯されたり外的要因で損傷するようなことがないという効果がある。
【００２８】
なお、前記実施の形態１において、レール同士（スラットガイドレール４とシートガイドレール１０）の、図２における左右方向の位置は略同じとしているが、左右方向にずらして配置することも可能である。
また、スラット５ａ，５ｂの形状は任意であり、例えば、略平面的なパネルとすることや曲げ加工された薄板状のものとすることができる。
さらに、スラットカーテン５を、パイプ等をリンク部材で連接したグリルカーテンに置き換えることも可能である。
【図面の簡単な説明】
【００２９】
【図１】この発明の実施の形態１による複合シャッターを示す概略断面図である。
【図２】図１のＡ−Ａ線に沿った拡大断面図である。
【図３】図２中の縦レール部材の拡大斜視図である。
【符号の説明】
【００３０】
１  スラットシャッター
２  シートシャッター
３  開口部
３ａ  頂壁部
４  スラットガイドレール
４ａ  縦レール部
４ｂ  湾曲コーナーレール部
４ｃ  横レール部
４ｄ  カーテンガイド溝
５  スラットカーテン
５ａ，５ｂ  スラット
７  吊り条材
８  突出軸部
９  ブラケット
１０  シートガイドレール
１０ａ  縦レール部材
１０ｂ  横レール部材
１０ｃ  カーテンガイド溝
１１  シートカーテン
１２  シート駆動ギヤ
１３  ガイドブロック
１４  レールホルダ
１５  レールホルダ
１６  スプリング
１７  係合子
２０  アクセス通路
２１  上側レール部
２２  下側レール部
【図１】
2008169588.tif 000003
【図２】
2008169588.tif 000004
【図３】
2008169588.tif 000005